(57)【要約】      （修正有）【課題】ベッド用マットレスの大きさの多少のばらつきに対応でき、且つ、マットレスの側面においてもシーツがだぶつかずにフィットする箱型のベッド用シーツを提供する。【解決手段】略長方形の天井部１０と天井部から延設された四個所の側面部２１，２２，２３，２４とを有する箱型のベッド用シーツであって、四個所の側面部の各々は、天井部側が末端側よりも長い左右対称の台形の素材を用いて形成されており、但し、側面部全体の高さがほぼ等しくなるように、天井部の四個所の角部ａ、ｂ、ｃ、ｄの各々において、シーツの裏側に天井部の角で接する二辺とそれら二辺を結ぶ辺からなる直角三角形が形成されるように、天井部と二つの側面部とが縫製されて面取り部が形成されており、且つ、側面部の末端側の少なくとも角部はゴム加工がなされていることを特徴とする箱型のベッド用シーツを用いる。【選択図】図２
0003130810.tif 000002
【実用新案登録請求の範囲】
【請求項１】
略長方形の天井部と天井部から延設された四個所の側面部とを有する箱型のベッド用シーツであって、四個所の側面部の各々は、天井部側が末端側よりも長い左右対称の台形の素材を用いて形成されており、但し、側面部全体の高さがほぼ等しくなるように、天井部の四個所の角部の各々において、シーツの裏側に天井部の角で接する二辺とそれら二辺を結ぶ辺からなる直角三角形が形成されるように、天井部と二つの側面部とが縫製されて面取り部が形成されており、且つ、側面部の末端側の少なくとも角部はゴム加工がなされていることを特徴とする、箱型のベッド用シーツ。
【請求項２】
シーツが編物製である、請求項１に記載の箱型のベッド用シーツ。
【請求項３】
シーツ素材の糸が伸縮性である、請求項１又は２に記載の箱型のベッド用シーツ。
【請求項４】
側面部用の素材の形状である台形において、（天井部側の長さ）−（末端側の長さ）が２乃至１６ｃｍである、請求項１乃至３のいずれか一項に記載の箱型のベッド用シーツ。
【考案の詳細な説明】
【技術分野】
【０００１】
本考案は、箱型のベッド用シーツであって、側面部用の素材として、天井部側が末端側よりも長い左右対称の台形のものを用いている、フィット性に優れるシーツに関する。
【背景技術】
【０００２】
現在、一般家庭におけるベッド用シーツとしては、箱型のものが主流となっている。そのような箱型のベッド用シーツの代表例を、図６に示す。図６（Ａ）は、ベッド用シーツの型紙７００の平面図である。この型紙７００では、縫い代分は考慮されていない。また、図６（Ｂ）は、箱型のベッド用シーツ８００の斜視図である。これらの図から明らかなように、現在一般的に使用されている箱型のベッド用シーツは、長方形の天井部１０と、天井部から延設された四個所の長方形の側面部５１，５２，５３，５４とからなり、側面部５１，５２，５３，５４の末端側の一部又はすべてにはゴムひもｇが縫い付けられているか又は通されている。
【０００３】
ところで、ベッドやベッド用マットレスの大きさには、種々のものが知られている。したがって、マットレスにフィットする箱型のベッド用シーツを購入する際には、マットレスの大きさをきちんと把握する必要がある。しかし、実際には、消費者はマットレスにフィットしない箱型のベッド用シーツを購入してしまうことがある。そこで、マットレスの大きさが少々違ってもマットレスにフィットする、換言すれば、ベッド用マットレスの大きさのばらつきに対応できる箱型のベッド用シーツが提案された。
【０００４】
特許文献１には、図７にその裏面側の平面図が示されている、長方形の天井部１０と、天井部１０から延設された四個所の側面部６１，６２，６３，６４とを備える敷布団カバー９００であって、四個所の側面部６１，６２，６３，６４の各々は、両側端部が斜めに切り欠かれており、隣接する側端部同士、即ち、側面部６１と６２、側面部６２と６３、側面部６３と６４、側面部６４と６１は、直接縫合されておらず、伸縮性細巾テープ９で連結されてなる融通性のある敷布団カバー９００が開示されている。この敷布団カバーは、多少の大きさ及び厚みの異なる敷布団にも、たるむことなく確実に適合する。しかし、このカバーを使用すると、敷布団の四隅がカバーで被覆されない。
【０００５】
特許文献２には、長方形の天井部と、天井部から延設された四個所の長方形の側面部とからなる箱型ベッド用シーツが開示されている。このシーツにおいては、側面部の末端側にはゴムひもが縫製によって結着されてなり、且つ、四個所の角部には、長さを調整するためのひも状部材とそのひも状部材を覆う調整部とを備える調整手段が形成されている。このシーツを使用する際には、ひも状部材の両先端を引っ張ることによって調整部を縮ませることにより、シーツの側面部の末端側が形成する開口部の大きさを調節する。このシーツでは、大きさが調整されるのは、マットレスの裏側に配される部分のみである。
【０００６】
また、マットレスの大きさのばらつきに着目したものではないが、シーツが適度な緊張状態を持ってマットレスを覆うように工夫したものとして、特許文献３に記載のベッドのシーツ構造がある。特許文献３に記載のシーツの型紙の平面図を図８に示す。この型紙１０００では、縫い代分は考慮されていない。特許文献３に記載のシーツは、長方形の天井部１０と、天井部１０から延設された四個所の長方形の側面部７１，７２，７３，７４と、側面部７１，７２，７３，７４の各々の末端から延設された台形の裏面部８１，８２，８３，８４とからなる。裏面部８１，８２，８３，８４の各々の形状は台形であり、その台形の平行な二辺の長さは、側面部７１，７２，７３，７４に接する方が大きく、開口を形成する他の辺が小さい。裏面部８１，８２，８３，８４は、マットレスの裏側に配される部分であり、従って、このシーツも、適度な緊張状態となるのはマットレスの裏側に配される部分のみである。
【０００７】
さらに、特許文献４にも、エアマット用カバーであるが、特許文献３に記載のベッドのシーツ構造同様、長方形の天井部と、天井部から延設された四個所の長方形の側面部と、各側面部の末端から延設された台形の裏面部であって、その台形の平行な二辺の長さは、側面部の末端側が大きく、開口を形成する他の末端側が小さいものが開示されている。
【０００８】
【特許文献１】実開昭４８−６８６２１号公報
【特許文献２】実用新案登録第３０８５６０５号公報
【特許文献３】特開２００４−３３５５５号公報
【特許文献４】特開平１０−２４０７０号公報
【考案の開示】
【考案が解決しようとする課題】
【０００９】
上記した従来のシーツ等は、各々、ベッド用マットレスの大きさのばらつきへの対応や、マットレスへのフィット性を考慮して提案されたものである。しかし、これらを用いても尚、マットレスの側面において、シーツがだぶつくという問題があった。
【００１０】
本考案は、マットレスの側面においてもシーツがだぶつかずにフィットする箱型のベッド用シーツを提供することを目的とする。また、本考案は、ベッド用マットレスの大きさの多少のばらつきに対応でき、且つ、マットレスの側面においてもシーツがだぶつかずにフィットする箱型のベッド用シーツを提供することを目的とする。
【課題を解決するための手段】
【００１１】
本考案者は、上記目的を達成するために鋭意研究し、本考案を完成させた。
【００１２】
即ち、本考案は、略長方形の天井部と天井部から延設された四個所の側面部とを有する箱型のベッド用シーツであって、四個所の側面部の各々は、天井部側が末端側よりも長い左右対称の台形の素材を用いて形成されており、但し、側面部全体の高さがほぼ等しくなるように、天井部の四個所の角部の各々において、シーツの裏側に天井部の角で接する二辺とそれら二辺を結ぶ辺からなる直角三角形が形成されるように、天井部と二つの側面部とが縫製されて面取り部が形成されており、且つ、側面部の末端側の少なくとも角部はゴム加工がなされていることを特徴とする、箱型のベッド用シーツに関する。
【００１３】
ここで、側面部が「天井部から延設され」るとは、側面部を構成する布等が、天井部から連なって形成されていることをいう。「天井部から連な」るために、側面部は、縫製等によって天井部に結合されていてもよい。
【００１４】
このシーツは、以下の（１）乃至（３）の態様の中のいずれか又はそれらの中の二つ以上を組み合わせた態様であってよい。
（１）シーツが編物製である、上記箱型のベッド用シーツ。
（２）シーツ素材の糸が伸縮性である、上記箱型のベッド用シーツ。
（３）側面部用の素材の形状である台形において、（天井部側の長さ）−（末端側の長さ）が２乃至１６ｃｍである、上記箱型のベッド用シーツ。
【００１５】
ここで、「末端側の長さ」とは、ゴム加工を行う前の平坦な状態における、側面部の末端側の大きさをいう。
【考案の効果】
【００１６】
本考案により、マットレスの側面においてもだぶつかずにフィットする箱型のベッド用シーツが提供される。シーツが編物製である場合や、シーツ素材の糸として伸縮性のあるものを用いたシーツでは、さらに、ベッド用マットレスの大きさのばらつきに対応できるという効果も得られる。
【考案を実施するための最良の形態】
【００１７】
以下に、本考案の好適例を示す図面を参照しながら、本考案について詳細に説明する。図１（Ａ）は、本考案に係る箱型のベッド用シーツ１００の斜視図であり、図１（Ｂ）は、そのベッド用シーツ１００の面取り部Ａ付近の拡大図であり、図２は、そのベッド用シーツ１００の裏面側の平面図である。
【００１８】
ベッド用シーツ１００は、略長方形の天井部１０と天井部１０から延設された四個所の側面部２１，２２，２３，２４とを有する。以下においては、側面部２１，２３は「短側面部」と、また、側面部２２，２４は「長側面部」と呼称することがある。ここで、「略長方形」と呼称しているのは、長方形の四個所の角部が面取りされて面取り部Ａ，Ｂ，Ｃ，Ｄが形成され、厳密には八角形となっているからである。
【００１９】
側面部２１，２２，２３，２４の末端側、即ち天井部１０側とは反対の開口側の角部ａ，ｂ，ｃ，ｄは、ゴム加工がなされている。ここで、「開口側の角部」とは、側面部２１，２２，２３，２４の末端側の中、四個所の角、即ち、側面部同士が結合されてなる個所の最末端と、その周辺をいう。また、「ゴム加工」とは、ゴムひもの伸縮性が側面部の末端側の長さに影響を与えるように、側面部にゴムひもが関係付けられていることをいう。「ゴム加工」の例を挙げると、ゴムひもが側面部の末端側に縫い付けられているもの、側面部の末端側にゴムひもを通す部分が形成されており、当該部分にゴムひもが通されているもの等がある。
【００２０】
「ゴム加工」は、少なくとも角部において行われていればよい。即ち、図２に示す例のように、側面部の末端側の四個所の角それぞれから、短側面部側及び長側面部側に所定距離離れた個所まで、ゴム加工がなされていればよい。また、図３にその裏面側の平面図を示すベッド用シーツ３００のように、短側面部２１，２３の末端側すべてと、長側面部２２，２４の末端側の角から所定距離離れた個所までが、ゴム加工されていてもよい。さらには、側面部２１，２２，２３，２４の末端側全体にわたって、ゴム加工がなされていてもよい。なお、図２に示す例のように、角部のみにゴム加工がなされる場合、ゴム加工がなされる範囲は、角から、通常は、短側面部側は５乃至２０ｃｍ、長側面部側は５乃至５０ｃｍ、好ましくは、短側面部側は７乃至１５ｃｍ、長側面部側は１０乃至４０ｃｍである。また、図３に示す例の場合、長側面部側のゴム加工がなされる範囲は、角から、通常は５乃至５０ｃｍ、好ましくは１０乃至４０ｃｍである。
【００２１】
本考案に係る箱型のベッド用シーツの特徴は、四個所の側面部の各々が、天井部側が末端側よりも長い左右対称の台形の素材を用いて形成されており、但し、側面部全体の高さがほぼ等しくなるように、天井部の四個所の角部の各々において、シーツの裏側に天井部の角で接する二辺とそれら二辺を結ぶ辺からなる直角三角形が形成されるように、天井部と二つの側面部とが縫製されて面取り部が形成されていることである。
【００２２】
まず、側面部の素材の形状について、図４を参照して説明する。図４は、本考案のベッド用シーツの型紙５００の平面図である。この型紙５００には、縫い代分は考慮されていない。従って、実際の裁断の際には、縫い代分を考慮する必要がある。
【００２３】
図６（Ａ）に示すように、従来、箱型のベッド用シーツの型紙７００においては、側面部５１，５２，５３，５４は長方形であった。これに対し、本考案では、図４に示すように、側面部２１，２２，２３，２４の各々について、両側端部を斜めに切り欠き、左右対称の台形形状となるように裁断する。この台形は、天井部側（台形の上底）が、末端側（台形の下底）よりも長い。ここで、切り欠きの程度は特に限定されないが、（側面部の天井部側の長さ）−（側面部の末端側の長さ）が、２乃至１６ｃｍとなるように切り欠くのが好ましく、４乃至１４ｃｍとなるように切り欠くのがより好ましく、６乃至１２ｃｍとなるように切り欠くのがさらにより好ましく、８乃至１０ｃｍとなるように切り欠くのが特に好ましい。なお、「（側面部の天井部側の長さ）−（側面部の末端側の長さ）」は、図４では、ｗ１−ｗ５又はｗ２−ｗ６によって求めることができる。
【００２４】
図４に示すように、側面部２１，２２，２３，２４の各々について、高さをｈ０、側端部の長さをｈｘとすると、ｈｘ＞ｈ０である。本考案では、側面部全体の高さがほぼ等しくなるように、換言すれば、縫製後においては側面部の両側端部の長さもｈ０となるように、天井部１０の四個所の角ｚの各々において、天井部１０と二つの側面部、例えば側面部２１と２２とを縫製し、面取り部Ａ，Ｂ，Ｃ，Ｄを形成する。
【００２５】
面取り部の形成について、図５を参照して説明する。図５（Ａ）及び（Ｂ）は、本考案のベッド用シーツの裏側であって、天井部１０の角ｚとその周囲を示す側面図である。図５（Ｃ）は、本考案のベッド用シーツの裏側であって、天井部１０の角ｚとその周囲を示す平面図である。本明細書において、「裏面側」と「裏側」とは、異なる意味を有する。「裏面側」は、ベッド用シーツの開口側を指し、「裏側」は、生地等を縫製する際に見える方をいう。
【００２６】
図５（Ａ）は、側面部２１の側端部と、側面部２２の側端部とを縫製した状態を示す。同図中、破線ｓは縫い目であり、符号ｋで示されている個所は縫い代である。このような縫製を行った後、図５（Ｂ）に破線ｔで示されている縫い目となるように、天井部１０と二つの側面部２１，２２とを縫製する。これにより、図５（Ｂ）及び（Ｃ）に示すような、天井部１０の角ｚで接している二辺とそれら二辺を結ぶ縫製によって形成された縫い目ｔである辺からなる直角三角形ｙが、シーツの裏側に形成される。このように縫製した後に、縫い目がシーツの内側となるようにひっくり返すと、縫い目ｔに対応する、図１（Ｂ）に示すような面取り部Ａが形成される。
【００２７】
直角三角形ｙの大きさ、換言すれば、縫い目ｔの位置は、側面部の側端部の切り欠きの程度によって異なる。切り欠きが大きい、即ち、側面部用の素材の形状である台形において、天井部側の長さと末端側の長さとの差が大きいほど、縫い目ｔの位置は天井部１０の内側となり、直角三角形ｙは大きくなる。具体的には、図５（Ｂ）に示すように、側面部の側端部の中、縫い目ｔよりも下の部分の長さがほぼｈ０となるような位置を縫製して、縫い目ｔとする。なお、縫い目ｔは、直線ではなく曲線でもよい。
【００２８】
図４中で符号ｈ０で示されている、側面部２１，２２，２３，２４の各々の高さは、シーツの素材によっても異なり、特に限定されないが、通常は、箱型のベッド用シーツで被覆されるマットレスの高さ（ｃｍ）＋（０ｃｍ乃至１０ｃｍ）である。このようにな高さとすると、側面部の末端側が、マットレスの下側に入る。なお、後記する伸縮性の糸を使用して製造されたシーツの場合には、シーツの側面部の高さｈがマットレスの高さ未満であっても、側面部の末端側をマットレスの下側に配することができる。
【００２９】
本考案のシーツの素材は、特に限定されない。通常、寝具用カバーに使用されている素材であれば、何れも使用することができる。その例として、木綿、麻、羊毛、絹等の天然繊維や、ポリエステル、レーヨン、ナイロン等の合成繊維中の一種又は二種以上を用いてなる織物や編物が挙げられる。また、織物の織り方や編物の編み方も、特に限定されない。織り方の例としては、平織、綾織等が、編み方の例としては、メリヤス編み、丸編み、ガーター編み、かのこ編み等を挙げることができる。マットレスへのフィット性を考慮すると、織物と比べて伸縮性に富む編物を用いてシーツを製造することが好ましい。
【００３０】
シーツ素材の糸として、伸縮性のものを用いると、マットレスへのフィット性がさらに向上する。また、ベッド用マットレスの大きさのばらつきに対応できるようになる。シーツ素材の糸として、伸縮性のものを使用する場合、シーツの寸法はマットレスの寸法よりも小さくてよい。
【００３１】
伸縮性糸の代表例としてカバード糸が挙げられる。カバード糸とは、弾性又は伸縮性繊維製の芯部が、芯部に使用したものとは異なる素材で構成される被覆材で覆われてなるものであり、その具体例としては、シングルカバード糸、ダブルカバード糸及びコアスパン糸が挙げられる。
【００３２】
カバード糸の芯部を構成する弾性又は伸縮性繊維の例としては、ポリウレタン繊維及びポリウレタン系繊維（ポリウレタンと他の素材との混繊維）が挙げられる。その代表例は、スパンデックス（商標）と呼称されているポリウレタン繊維である。芯部は、例えばポリウレタン繊維製の糸である。
【００３３】
カバード糸の芯部の周りを覆う被覆材、具体例としては糸や繊維、の素材は、芯部に使用したものとは異なる素材である限り、特に限定されない。その例としては、木綿、ポリエステル、アクリル、レーヨン、ポリプロピレン、羊毛、麻及びナイロンが挙げられる。これらの素材は、単独で使用しても、二種以上を混合して使用してもよい。なお、「混合して使用」とは、例えば、混紡糸としての使用、混繊維としての使用、二種以上の互いに異なる素材の糸の使用等を包含する概念である。この芯部の周りを覆う被覆材の風合いが、カバード糸の風合いとして認識される。
【００３４】
以上、本考案を、好適例に基づいて説明したが、本考案は、上に例示されたものに限定されるわけではない。実用新案登録請求の範囲に包含される限り、本考案に包含される。また、上においては、シングルサイズのマットレスの被覆に使用するベッド用シーツについて説明したが、本考案のシーツは、シングルサイズのマットレス被覆用のものに限定されるわけではない。セミダブル、ダブル、ワイドダブル、クィーン、キング等の種々のサイズのマットレスを被覆するために使用される箱型のベッド用シーツも、本考案の範囲内である。
【図面の簡単な説明】
【００３５】
【図１】（Ａ）は、本考案に係る箱型のベッド用シーツの一例の斜視図であり、（Ｂ）は、その部分拡大図である。
【図２】図１のベッド用シーツの裏面側の平面図である。
【図３】本考案に係る箱型のベッド用シーツの他の例の裏面側の平面図である。
【図４】本考案に係る箱型のベッド用シーツの一例の型紙の平面図である。
【図５】本考案に係る箱型のベッド用シーツにおける面取り部の形成を説明するための模式図である。
【図６】（Ａ）は、従来の箱型のベッド用シーツの型紙の平面図であり、（Ｂ）は、従来の箱型のベッド用シーツの斜視図である。
【図７】特許文献１に記載された敷布団用カバーの裏面側の平面図である。
【図８】特許文献３に記載されたベッド用シーツの型紙の平面図である。
【符号の説明】
【００３６】
９  伸縮性細巾テープ
１０  天井部
２１，２２，２３，２４，５１，５２，５３，５４  側面部
６１，６２，６３，６４，７１，７２，７３，７４  側面部
８１，８２，８３，８４  裏面部
１００，３００，８００  箱型のベッド用シーツ
５００，７００，１０００  箱型のベッド用シーツの型紙
９００  敷布団カバー
ａ，ｂ，ｃ，ｄ  角部
ｇ  ゴム
ｋ  縫い代
ｓ，ｔ  縫い目
ｚ  角
Ａ，Ｂ，Ｃ，Ｄ  面取り部
【図１】
0003130810.tif 000003
【図２】
0003130810.tif 000004
【図３】
0003130810.tif 000005
【図４】
0003130810.tif 000006
【図５】
0003130810.tif 000007
【図６】
0003130810.tif 000008
【図７】
0003130810.tif 000009
【図８】
0003130810.tif 000010